(57)【要約】【課題】蓋開放つまみが蓋体開放のための付勢力に影響しないようにするとともに、蓋体開放がスムーズに行なわれるようにした電気湯沸かし器を提供することを目的とする。【解決手段】蓋体６に、上枠４のフック部４ｂと係合することにより蓋体６を付勢に抗して閉とするとともに上枠４に設けた案内部４ｃで位置決め案内されたロックレバー７を設け、上枠４に、ロックレバー７を操作して蓋体６との係合を解除する蓋開放つまみ１０を設けたものである。これにより、蓋開放つまみ１０が蓋体６ではなく上枠４に設けられているので、蓋開放つまみ１０の操作が蓋体開放のための付勢力に影響せず、しかもロックレバー７は上枠４に設けた案内部４ｃで位置決め案内されており、蓋体６とこれを支持する上枠４とがガタつきにより擦れ合うことなく、蓋体開放がスムーズに行なわれる。【選択図】図１
2005160755.tif 000002
【特許請求の範囲】
【請求項１】
外郭を構成するボデーの上部に設けた上枠と、前記上枠に取付けた液体を収納する容器と、前記容器内の液体を加熱する加熱手段と、前記容器の上方開口部を覆い、前記上枠に設けたヒンジ部に回動自在に支持されかつヒンジバネにより常開方向に付勢されている蓋体とを備え、前記蓋体には、上枠と係合することにより蓋体を付勢に抗して閉とするとともに上枠に設けた案内部で位置決め案内されたロックレバーを設け、前記上枠には、ロックレバーを操作して前記蓋体との係合を解除する蓋開放つまみを設けた電気湯沸かし器。
【請求項２】
ロックレバーと上枠の係合量より、ロックレバーと上枠に設けた案内部で位置決め案内された案内量を少なく、ロックレバーと上枠との係合解除の直前にロックレバーと案内部の位置決め案内を解除するようにした請求項１に記載の電気湯沸かし器。
【請求項３】
蓋開放つまみによる蓋開放操作時に、蓋開放つまみにより操作されるロックレバーの操作面を、蓋体が開く方向に跳ね上がる傾斜面とした請求項１または２に記載の電気湯沸かし器。
【発明の詳細な説明】
【技術分野】
【０００１】
本発明は、一般家庭または事務所などで使用される電気湯沸かし器に関するものである。
【背景技術】
【０００２】
従来、この種の電気湯沸かし器において、その蓋体の開放は、蓋体に設けられた蓋開放つまみを押圧操作し蓋体のロックを解除することにより、予め付与した付勢力で蓋体は自動開放されるものであった（例えば、特許文献１参照）。
【特許文献１】特開平３−１４０１２８号公報
【発明の開示】
【発明が解決しようとする課題】
【０００３】
しかしながら、前記従来の構成では、蓋開放つまみを押圧操作する方向は、蓋体開放のための付勢力の付勢方向と逆行している。このため、蓋体開放のための付勢力は、蓋開放つまみの押圧操作力よりもかなり大きくする必要がある。また、蓋体とこれを回動自在に支持する上枠とがガタつきにより擦れ合うと、ロック解除をしても蓋体開放がスムーズに行なわれなくなる恐れもあった。
【０００４】
本発明は、前記従来の課題を解決するもので、蓋開放つまみが蓋体開放のための付勢力に影響しないようにするとともに、蓋体開放がスムーズに行なわれるようにした電気湯沸かし器を提供することを目的とする。
【課題を解決するための手段】
【０００５】
前記従来の課題を解決するために、本発明の電気湯沸かし器は、蓋体に、上枠と係合することにより蓋体を付勢に抗して閉とするとともに上枠に設けた案内部で位置決め案内されたロックレバーを設け、上枠に、ロックレバーを操作して蓋体との係合を解除する蓋開放つまみを設けたものである。
【０００６】
これにより、蓋開放つまみが蓋体ではなく上枠に設けられているので、蓋開放つまみの操作が蓋体開放のための付勢力に影響せず、しかもロックレバーは上枠に設けた案内部で位置決め案内されており、蓋体とこれを支持する上枠とがガタつきにより擦れ合うことなく、蓋体開放がスムーズに行なわれるものである。
【発明の効果】
【０００７】
本発明の電気湯沸かし器は、蓋開放つまみの操作が蓋体開放のための付勢力に影響せず、しかもロックレバーは位置決め案内されており、蓋体と上枠とがガタつきにより擦れ合うことなく、蓋体開放がスムーズに行なわれるものである。
【発明を実施するための最良の形態】
【０００８】
第１の発明は、外郭を構成するボデーの上部に設けた上枠と、前記上枠に取付けた液体を収納する容器と、前記容器内の液体を加熱する加熱手段と、前記容器の上方開口部を覆い、前記上枠に設けたヒンジ部に回動自在に支持されかつヒンジバネにより常開方向に付勢されている蓋体とを備え、前記蓋体には、上枠と係合することにより蓋体を付勢に抗して閉とするとともに上枠に設けた案内部で位置決め案内されたロックレバーを設け、前記上枠には、ロックレバーを操作して前記蓋体との係合を解除する蓋開放つまみを設けた電気湯沸かし器とすることにより、蓋開放つまみが蓋体ではなく上枠に設けられているので、蓋開放つまみの操作が蓋体開放のための付勢力に影響せず、しかもロックレバーは上枠に設けた案内部で位置決め案内されており、蓋体とこれを支持する上枠とがガタつきにより擦れ合うことなく、蓋体開放がスムーズに行なわれるものである。
【０００９】
第２の発明は、特に、第１の発明において、ロックレバーと上枠の係合量より、ロックレバーと上枠に設けた案内部で位置決め案内された案内量を少なく、ロックレバーと上枠との係合解除の直前にロックレバーと案内部の位置決め案内を解除するようにしたことにより、ロック解除により蓋体開放がスムーズに行なわれるものである。
【００１０】
第３の発明は、特に、第１または第２の発明において、蓋開放つまみによる蓋開放操作時に、蓋開放つまみにより操作されるロックレバーの操作面を、蓋体が開く方向に跳ね上がる傾斜面としたことにより、ロック解除と同時に、ロックレバーの傾斜面が蓋体を開く方向に跳ね上げられるので、蓋体は開放方向に勢いが与えられ、蓋体開放がよりスムーズに行なわれるものである。
【００１１】
以下、本発明の実施の形態について、図面を参照しながら説明する。なお、この実施の形態によって本発明が限定されるものではない。
【００１２】
（実施の形態１）
図１〜図６は本発明の実施の形態１における電気湯沸かし器を示すものである。
【００１３】
図に示すように、電気湯沸かし器は、外郭を構成するボデー１の上部に載置して設けた上枠４と、前記上枠４の中央開口部に取付けた液体２を収納する有底筒状の容器３と、前記容器３内の液体を加熱する加熱手段５と、前記容器３の上方開口部を覆い、前記上枠４に設けたヒンジ部４ａにヒンジピン８が回動自在に支持されかつヒンジバネ９により常開方向に付勢されている蓋体６とを備えている。ヒンジバネ９は、ヒンジピン８に装備し一方を蓋体６内部に固定し、他一方を上枠４に直接あるいは間接的に固定し、常に蓋体６を開く方向に付勢している。なお、上枠４にヒンジピン８およびヒンジバネ９を取付けていてもよい。
【００１４】
そして、前記蓋体６には、上枠４のフック部４ｂと係合することにより蓋体６を付勢に抗して閉とするとともに上枠４に設けた案内部４ｃで移動方向が位置決め案内されたロックレバー７を設けている。ロックレバー７は、案内部４ｃで側部が位置決め案内される操作部７ａを一対備え、また、一対の操作部７ａ間に位置して、上枠４のフック部４ｂと係合する係合部７ｂを備えているものであり、全体がロックバネ１２によりフック部４ｂとの係合方向に付勢されている。なお、ロックレバー７の操作部７ａ側部と案内部４ｃとの案内隙間は、蓋体６の外周と、これに対面する上枠４の内側面との隙間よりも十分に少なく設定されているものであり、ロックレバー７の操作部７ａが案内部４ｃで位置決め案内されている限り、蓋体６外周が上枠４に擦れ合うことはない。
【００１５】
また、前記上枠４には、ロックレバー７の操作部７ａを押圧操作してロックレバー７を水平移動させ、前記蓋体６との係合を解除する蓋開放つまみ１０を設けている。蓋開放つまみ１０は、その蹴り出し部１０ａがロックレバー７の操作部７ａと対峙する位置に一対あり、軸１０ｂを中心に回動する。また、つまみバネ１１により押圧操作部分を上方に付勢している。そして、蓋開放つまみ６は、少なくとも押圧操作部分が上枠４あるいは蓋体６の表面より突起した状態にあり、外部の操作により蓋開放つまみ１０の押圧操作部分を上枠４もしくは蓋体６の表面より下方に押し込んだ場合に、蓋開放つまみ１０の蹴り出し部１０ａでロックレバー７の操作部７ａを押圧し、上枠４のフック部４ｂとロックレバー７の係合部７ｂとの係合を解除（ロック解除）するものである。なお、蓋開放つまみ１０は必ずしも上枠４あるいは蓋体６の表面より突起した状態である必要はなく、例えば、蓋開放つまみ１０を一度押すことにより、上枠４あるいは蓋体６の表面より突起した状態にしてから、これを操作するようにしてもよい。
【００１６】
次に、前記構成の電気湯沸かし器の動作を説明する。
【００１７】
蓋体６を開ける場合は、蓋開放つまみ１０の押圧操作部分を押圧操作することで、ロックレバー７の係合部７ｂと上枠４のフック部４ｂとの係合を解除する。これは蓋開放つまみ１０の操作により、蹴り出し部１０ａがロックレバー７の操作部７ａに接触し、さらに蓋開放つまみ１０を操作して蓋開放つまみ１０の一部あるいは全体を上枠４もしくは蓋体６の表面より下方に押し込んだ場合に、ロックレバー７がフック部４ｂとの係合解除位置まで移動する。蓋体６は、ロックレバー７の係合部７ｂとフック部４ｂとの係合が解除されることで、ヒンジピン８を中心にして回動が自由になるため、ヒンジバネ９の付勢力により開く。ここで、蓋開放つまみ１０が蓋体６ではなく上枠４に設けられているので、蓋開放つまみ１０の操作が蓋体開放のためのヒンジバネ９の付勢力に影響せず、しかもロックレバー７は上枠４に設けた案内部４ｃで位置決め案内されており、蓋体６とこれを支持する上枠４とがガタつきにより擦れ合うことなく、蓋体開放がスムーズに行なわれるものである。
【００１８】
本実施の形態においては、蓋開放つまみ１０として押圧操作するものを示したが、上方や左右方向に操作させるものであってもよく、特にその方式は限定されるものではない。また、蓋開放つまみ１０の取付け構成、位置などは、特に限定されるものではない。また、蓋開放つまみ１０は回動だけでなく水平、鉛直などの直線的に移動させるものでもよい。また、蓋開放つまみ１０は上枠４に対して別部材を介して取付けてもよい。さらに、ロックレバー７に一体的に操作部７ａを設けているが、操作部７ａをロックレバー７に対し係合した別部材で構成してもよい。
【００１９】
このように、本実施の形態における電気湯沸かし器は、蓋開放つまみ１０が上枠４に設けられているので、蓋開放つまみ１０の操作が蓋体開放のためのヒンジバネ９の付勢力に影響せず、しかもロックレバー７は上枠４に設けた案内部４ｃで位置決め案内されているため、蓋体６とこれを支持する上枠４とがガタつきにより片寄り擦れ合って蓋体６が開放途中で止まり、十分に開かないと言ったことを防止することができ、常に、蓋体開放がスムーズに行なわれる。また、転倒時などにも蓋体６が上枠４とのガタでずれることがなく、容器３内の液体２が流出することを防ぐことができる。
【００２０】
本実施の形態における電気湯沸かし器については、蓋体６のロックとロック解除構成についてのみ説明し、他の構成については説明を省略したが、各図からも明らかなように、出湯沸かし、保温、出湯など通常の電気湯沸かし器の機能を備えていることは言うまでもない。
【００２１】
（実施の形態２）
次に、本発明の実施の形態２における電気湯沸かし器について説明する。基本構成は実施の形態１と同じなので図１〜図６をそのまま採用し異なる点についてのみ説明する。
【００２２】
本実施の形態の電気湯沸かし器は、ロックレバー７の係合部７ｂと上枠４のフック部４ｂとの係合量より、ロックレバー７の操作部７ａと上枠４の案内部４ｃとの位置決め案内量を少なくし、ロックレバー７と上枠４との係合解除の直前にロックレバー７と案内部４ｃの位置決め案内を解除するようにしたものであり、この点が実施の形態１と異なる点である。
【００２３】
次に、本実施の形態の電気湯沸かし器についてその動作を説明する。
【００２４】
蓋体６を開けるときに、外部の操作により蓋開放つまみ１０の一部あるいは全体を上枠４もしくは蓋体６の表面より下方に押し込むことで、実施の形態１で説明したようにロックレバー７がフック部４ｂとの係合解除位置まで移動する。このとき、ロックレバー７の係合部７ｂと上枠４のフック部４ｂとの係合量より、ロックレバー７の操作部７ａと上枠４の案内部４ｃとの位置決め案内量を少なく設定しているので、ロックレバー７が上枠４との係合を解除する直前に、操作部７ａと案内部４ｃとの位置決め案内が解除される。これにより、ロックレバー７の係合が解除され、蓋体６が開くまでに、蓋体６外周と上枠４との接触部がなくなり、蓋体６が開こうとする際に蓋体６と上枠４が擦れ合ったりすることがなくなる。
【００２５】
このように、本実施の形態における電気湯沸かし器は、ロックレバー７の係合解除とロックレバー７の位置決め案内との関係を配慮したことにより、蓋体６が開放途中で止まり、十分に開かないと言ったことを防止することができ、常に、ロック解除により蓋体開放がスムーズに行なわれる。
【００２６】
（実施の形態３）
図７は本発明の実施の形態３における電気湯沸かし器の要部を示すものである。実施の形態１と同一要素については同一符号を付して説明を省略する。
【００２７】
本実施の形態の電気湯沸かし器は、蓋開放つまみ１０による蓋開放操作時に、蓋開放つまみ１０により操作されるロックレバー７の操作部７ａの操作面を、蓋体６が開く方向に跳ね上がる傾斜面７ｃとしたものである。すなわち、蓋開放つまみ１０の押圧操作により、蹴り出し部１０ａがロックレバー７の操作部７ａと接する際、傾斜面７ｃにより蓋体６が開く方向に跳ね上げられるように作用するものである。
【００２８】
次に、本実施の形態の電気湯沸かし器についてその動作を説明する。
【００２９】
蓋体６を開けるときに、外部操作により蓋開放つまみ１０を押圧操作して下方に押し込んだ場合、蓋開放つまみ１０の蹴り出し部１０ａが、ロックレバー７の操作部７ａの傾斜面７ｃを押圧する。さらに蹴り出し部１０ａの回動によりロックバネ１２の付勢力に抗してロックレバー７が移動することで係合が解除される。これと同時に、傾斜面７ｃが蓋開放つまみ１０の蹴り出し部１０ａを滑り、跳ね上がることで蓋体６が開く方向に勢いを付与することができる。これにより、蓋体６が上枠４と擦れ合ったりして蓋体６が開かないといった不具合が防止でき、蓋体開放がよりスムーズに行なわれるものである。
【００３０】
ここで、ロックレバー７にはポリアセタール樹脂などの摺動性のよい材料を用いるとよりスムーズな動作が得られる。
【００３１】
このように、本実施の形態における電気湯沸かし器は、ロックレバー７の操作部７ａの操作面を、蓋体６が開く方向に跳ね上がる傾斜面７ｃとしたことにより、蓋体６が開放途中で止まり、十分に開かないと言ったことを防止することができ、ロック解除により蓋体開放がよりスムーズに行なわれる。
【産業上の利用可能性】
【００３２】
以上のように、本発明にかかる電気湯沸かし器は、蓋体の開放操作が容易であり、かつスムーズであるので、容器の上部に蓋体を有し、それを開閉するような構成の給湯器などにも適用でき有用である。
【図面の簡単な説明】
【００３３】
【図１】本発明の実施の形態１、２における電気湯沸かし器の断面図
【図２】同電気湯沸かし器の斜視図
【図３】同電気湯沸かし器の容器側の要部斜視図
【図４】同電気湯沸かし器の蓋体部の要部斜視図
【図５】同電気湯沸かし器のロック構成の要部断面図
【図６】同電気湯沸かし器の蓋体部を分解して示した平面図
【図７】本発明の実施の形態３における電気湯沸かし器のロック構成の要部断面図
【符号の説明】
【００３４】
１  ボデー
２  液体
３  容器
４  上枠
４ａ  ヒンジ部
４ｃ  案内部
５  加熱手段
６  蓋体
７  ロックレバー
７ａ  操作部
７ｃ  傾斜面
９  ヒンジバネ
１０  蓋開放つまみ
【図１】
2005160755.tif 000003
【図２】
2005160755.tif 000004
【図３】
2005160755.tif 000005
【図４】
2005160755.tif 000006
【図５】
2005160755.tif 000007
【図６】
2005160755.tif 000008
【図７】
2005160755.tif 000009